【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
物品の表面の研磨されたファセット(1200)の一部の上にあり、光学的な拡大視認デバイスによって識別可能である識別可能マーク(1210)であって、該識別可能マーク(1210)は、
複数の離散したナノメートルサイズのへこんだ又は突出したエンティティ(1220)の２次元格子又は３次元格子によって形成されるナノ構造を備え、
前記複数のエンティティ(1220)は、互いに対して所定の配列で前記研磨されたファセット(1200)の所定領域内に配置され、前記物品の前記ファセット(1200)と空気との間に外側界面が形成され、前記物品の前記ファセット(1200)と空気との間に内側界面が形成され、
前記複数のエンティティ(1220)の前記所定の配列は不均一で非周期的な配列であり、前記複数のエンティティ(1220)は入射光の反射時に光学的な散乱を引き起こすようなサイズ及び形状をなし、前記内側界面から前記外側界面までの距離は前記研磨されたファセット(1200)のマーキングされない部分の大きさより大きく、
前記格子に対して所定の入射角をなす１以上の所定波長を有する入射光が前記格子によって反射されると、前記格子からの光の散乱に起因する干渉が誘発され、反射光は１以上の波長の１以上の極大値を与える強度変動を有し、
該識別可能マーク(1210)は、肉眼では見ることができず、通常のカメラ搭載顕微鏡を利用しても見ることができないものであって、前記極大値が検出されるような必要な視認角に傾斜した前記光学的な拡大視認デバイス及び該識別可能マーク(1210)の前記格子から散乱される１以上の波長を有する光によって識別可能であり、該識別可能マーク(1210)は、前記１以上の波長の１以上の色によって識別可能である、識別可能マーク。
【請求項２】
前記格子の前記複数のエンティティ(1220)は、１０ｎｍ〜９００ｎｍの範囲内で離間され、
離散した前記複数のエンティティ(1220)は、１ｎｍ〜８９９ｎｍの範囲内の最大横寸法を有し、
前記外側界面と前記内側界面との間の垂直距離は、１ｎｍ〜２００ｎｍの範囲内にある、請求項１に記載の識別可能マーク。
【請求項３】
前記２次元格子又は前記３次元格子は、前記光学的な拡大視認デバイスによって視認可能な２つ以上の色特徴を有する少なくとも１つの識別可能マーク(1210)を与える、請求項１又は２に記載の識別可能マーク。
【請求項４】
前記ファセット(1200)の前記マーキングされない部分は、約１ｎｍより小さな平均表面粗さを有する、請求項１〜３のいずれか一項に記載の識別可能マーク。
【請求項５】
前記強度変動は、前記ファセット(1200)の前記マーキングされない部分からの任意の反射光から人の目又は光学カメラによって区別可能である、請求項１〜４のいずれか一項に記載の識別可能マーク。
【請求項６】
前記２次元格子又は前記３次元格子のへこんだ又は突出した前記複数のエンティティ(1220)は、規則的又は不規則な成形孔、ドット、ディスク、ピラー等であり、かつ、円形に配置された格子、螺旋形に配置された格子、正方形に配置された格子、三角形に配置された格子、六角形に配置された格子、フラクタルに配置された格子、又はその複数の組み合わせとして設けられる、請求項１〜５のいずれか一項に記載の識別可能マーク。
【請求項７】
請求項１〜６のいずれか一項に記載の識別可能マークを有する物品。
【請求項８】
前記物品は、ダイヤモンド、ルビー、サファイア、エメラルド、パール、ヒスイ、トルマリン等を含む群から選択されるジェムストーンである、請求項７に記載の物品。
【請求項９】
前記格子は、前記研磨されたファセット(1200)上で約４００μｍ×４００μｍの領域内に設けられる、請求項７又は８に記載の物品。
【請求項１０】
物品の表面上の研磨されたファセット(1200)の一部の上にあり、光学的な拡大視認デバイスによって識別可能である識別可能マーク(1210)を設ける方法であって、該方法は、
前記物品の前記ファセットの一部の上に複数の離散したナノメートルサイズのへこんだ又は突出したエンティティ(1220)の２次元格子又は３次元格子のナノ構造を形成するステップを含み、
前記複数のエンティティ(1220)は、互いに対して所定の配列で前記ファセット(1200)の所定領域内に配置され、前記物品の前記ファセット(1200)と空気との間に外側界面が形成され、前記物品の前記ファセット(1200)と空気との間に内側界面が形成され、
前記複数のエンティティ(1220)の前記所定の配列は不均一で非周期的な配列であり、前記複数のエンティティ(1220)は入射光の反射時に光学的な散乱を引き起こすようなサイズ及び形状をなし、前記内側界面から前記外側界面までの距離は前記研磨されたファセット(1200)のマーキングされない部分の大きさより大きく、
前記格子に対して所定の入射角をなす１以上の所定波長を有する入射光が前記格子によって反射されると、前記格子からの光の散乱に起因する干渉が誘発され、反射光は１以上の波長の１以上の極大値を与える強度変動を有し、
当該識別可能マーク(1210)は、肉眼では見ることができず、通常のカメラ搭載顕微鏡を利用しても見ることができないものであって、前記極大値が検出されるような必要な視認角に傾斜した前記光学的な拡大視認デバイス及び該識別可能マーク(1210)の前記格子から散乱される１以上の波長を有する光によって識別可能であり、該識別可能マーク(1210)は、前記１以上の波長の１以上の色によって識別可能である、方法。
【請求項１１】
ナノメートルサイズの離散した前記複数のエンティティ(1220)の前記２次元格子又は前記３次元格子は、ナノファブリケーション法から形成され、
前記ナノファブリケーション法は、集束イオンビーム、深ＵＶ（紫外線）レーザービーム、湿式化学エッチング、イオンプラズマエッチング、プラズマエッチングプロセス等のための異なるアスペクト比のシャドーマスク、又はその任意の組み合わせを含む方法である、請求項１０に記載の方法。
【請求項１２】
前記２次元格子又は前記３次元格子は、集束イオンビームのスポットサイズ及び照射線量の変動を動的に制御することによって、前記集束イオンビームによって形成される、請求項１０に記載の方法。
【請求項１３】
前記物品は、ダイヤモンド、ルビー、サファイア、エメラルド、パール、ヒスイ、トルマリン等を含む群から選択されるジェムストーンである、請求項１０〜１２のいずれか一項に記載の方法。
【請求項１４】
物品の表面の研磨されたファセット(1200)の一部の上に形成された識別可能マーク(1210)を有する物品であって、
前記識別可能マーク(1210)は、請求項１０〜１３のいずれか一項に記載の方法から形成される、物品。
【請求項１５】
物品の表面の研磨されたファセットの一部の上にある前記物品上の識別可能マークを視認する方法であって、前記識別可能マーク(1210)は、請求項７〜９のいずれか一項に記載のマークであり、当該方法は、
１以上の所定波長を有する入射光を所定の入射角において前記識別可能マーク(1210)に与えるステップと、
極大値が検出されるような必要な視認角において光学的な拡大視認デバイスによって前記識別可能マーク(1210)を視認するステップと、を含む、方法。